(57)【特許請求の範囲】
【請求項１】
上部に液体を注入するための液体注入口が開閉可能に設けられた貯槽と、上記貯槽内の開口に連通して上記貯槽内の液体を外に供給する液体供給管と、この液体供給管を流れる液体が大気と接している位置より上の位置で上記貯槽内に開口する大気連通口が上記貯槽の外部の大気に連通している大気連通管とを備え、
上記貯槽の外部に枡が設けられ、上記貯槽内に開口する大気連通口が上記枡の壁面の開口に連通されるとともに上記大気連通口より下の上記貯槽内の開口が上記枡の壁面の開口に連通して上記枡に上記貯槽内の液体が供給され、上記液体供給管が上記枡内の開口に連通して上記枡内の液体を外に供給していることを特徴とする液体供給装置。
【請求項２】
上部に液体を注入するための液体注入口が開閉可能に設けられた貯槽と、上記貯槽内の開口に連通して上記貯槽内の液体を外に供給する液体供給管と、この液体供給管を流れる液体が大気と接している位置より上の位置で上記貯槽内に開口する大気連通口が上記貯槽の外部の大気に連通している大気連通管とを備え、
上記貯槽の内部に枡が設けられ、この枡の壁面に大気連通口が開口するとともにこの大気連通口より下の上記枡の壁面に開口が設けられて上記枡に上記貯槽内の液体が供給され、上記大気連通管が上記枡内における貯槽内の開口に連通し、上記大気連通管が連通する開口より下の貯槽の開口に上記液体供給管が連通して上記貯槽内の液体を外に供給していることを特徴とする液体供給装置。
【請求項３】
請求項１又は２に記載の液体供給装置において、上記液体供給管は、上記貯槽の側面から外部に突き出した先端部の位置が可変できるように設けられている液体供給装置。
【請求項４】
請求項３記載の液体供給装置において、上記液体供給管は、上記貯槽内の液体が供給される系の状況に応じて、上記貯槽の側面から外部に突き出した先端部の位置が可変できるように設けられている液体供給装置。
【発明の詳細な説明】
【０００１】
【発明の属する技術分野】
本発明は、貯槽内の薬品等の液体を供給するための液体供給装置に係り、特に、液体を定量供給することができる液体供給装置に関する。
【０００２】
【従来の技術】
液体を定量供給する液体供給装置としては、図９、図１０に示す可変定量ポンプＰを使用して液体を定量供給する装置が使用されている。可変定量ポンプＰを使用した図９の第１の従来例の液体供給装置では、液体の供給先の流路に流量センサＦＩＣを設けておき、流量センサＦＩＣの検知した供給先の流量に応じて、可変定量ポンプＰから送出される液体の供給量を変化させている。また、可変定量ポンプＰを使用した図１０の第２の従来例の液体供給装置は、消泡剤として作用する液体を泡が発生する貯水槽あるいは流路に定量供給するものである。これは、供給先の貯水槽あるいは流路に泡センサを設けておき、泡センサの検知した泡の発生量に応じて、可変定量ポンプＰから送出される消泡剤として作用する液体の供給量を変化させている。また、可変定量ポンプを使用しない液体供給装置としては、図１１に示すように貯槽からパイプ或いはチューブ管で注入し、バルブで流量を調節して、動力を使わずにバルブを使用して液体を定量供給する装置が使用されている。
【０００３】
【発明が解決しようとする課題】
図９及び図１０に示す可変定量ポンプを使用して液体を定量供給する液体供給装置では、薬品等の液体を定量供給する場合、薬品の中には腐食性のものも多く、ポンプは耐食性にする必要があって高価になる。また、電気設備が必要であり、コストがかかるという問題がある。また、図１１に示すように貯槽からパイプ或いはチューブ管で注入し、バルブで流量を調節して動力を使わずにバルブを使用して液体を定量供給する液体供給装置では、貯槽内の液位によって、流出量が変化してしまう。すなわち、貯槽内の液位が低下すると、流出量は減少する。この場合、貯槽内の液位が低下するにつれて、バルブの開度を大きくして流出量を調節できるが、絶えず流出量を測定しながら調節する必要があり、事実上困難である。
【０００４】
本発明は上述した問題点を解消するために開発されたもので、貯槽からの流出量を自動的に調節して動力を使わずに、所望量の液体を自動的に、且つ定量供給することができる液体供給装置を提供することを目的とする。
【０００５】
【課題を解決するための手段】
請求項１の液体供給装置は、上部に液体を注入するための液体注入口が開閉可能に設けられた貯槽と、上記貯槽内の開口に連通して上記貯槽内の液体を外に供給する液体供給管と、この液体供給管を流れる液体が大気と接している位置より上の位置で上記貯槽内に開口する大気連通口が上記貯槽の外部の大気に連通している大気連通管とを備え、上記貯槽の外部に枡が設けられ、上記貯槽内に開口する大気連通口が上記枡の壁面の開口に連通されるとともに上記大気連通口より下の上記貯槽内の開口が上記枡の壁面の開口に連通して上記枡に上記貯槽内の液体が供給され、上記液体供給管が上記枡内の開口に連通して上記枡内の液体を外に供給していることを特徴とする。また、請求項２の液体供給装置は、上部に液体を注入するための液体注入口が開閉可能に設けられた貯槽と、上記貯槽内の開口に連通して上記貯槽内の液体を外に供給する液体供給管と、この液体供給管を流れる液体が大気と接している位置より上の位置で上記貯槽内に開口する大気連通口が上記貯槽の外部の大気に連通している大気連通管とを備え、上記貯槽の内部に枡が設けられ、この枡の壁面に大気連通口が開口するとともにこの大気連通口より下の上記枡の壁面に開口が設けられて上記枡に上記貯槽内の液体が供給され、上記大気連通管が上記枡内における貯槽内の開口に連通し、上記大気連通管が連通する開口より下の貯槽の開口に上記液体供給管が連通して上記貯槽内の液体を外に供給していることを特徴とする。請求項１又は２の構成に加えて、液体供給管は、上記貯槽の側面から外部に突き出した先端部の位置が可変できるようにすると良い。また、液体供給管は、上記貯槽内の液体が供給される系の状況に応じて、上記貯槽の側面から外部に突き出した先端部の位置が可変できるようにすることが好ましい。
【０００６】
【発明の実施の形態】
以下図面を参照して本発明に関連する参考例について説明する。参考例１から４は、貯槽の上壁を貫通して貯槽の内部と外部に突き出して大気連通管が設けられているものである。図４は参考例１の液体供給装置の概略図、図５は参考例２の液体供給装置の概略図、図６は参考例３の液体供給装置の概略図、図７は参考例４の液体供給装置の概略図、図８は参考例５の液体供給装置の概略図である。
【０００７】
図４において、貯槽１の上壁には所定径の筒部２が突設され、筒部２の先端の開口は液を注入するための液体注入口３となっている。この液体注入口３は、蓋４を被せて閉塞することができる。また、貯槽１の上壁を貫通して貯槽１の内部と外部に突き出して大気連通管７が設けられている。大気連通管７の貯槽１の外部に突き出した部分の途中にはバルブＶ１が設けられ、バルブＶ１の開閉により大気と連通又は遮断されるようになっている。
【０００８】
貯槽１内の側壁の下部には、貯槽１の側壁の開口１ａに連通して外部に水平に突き出した液体供給管６が設けられている。液体供給管６の貯槽１の側壁から外に突き出した部分には途中にバルブＶ２が設けられ、バルブＶ２の開度を変えて液体供給管６からの流出量を調節できるように構成されている。また、貯槽１の側壁から外に突き出した液体供給管６の先端の液体供給口５は、大気と接触して貯槽１内の液体Ｌを外部に供給するようになっている。そして、大気連通管７の貯槽１の内部に突入した部分の下端の開口の位置は、液体供給口５の位置Ｈ２より上の位置Ｈ１に設けられ、空気の流入する大気連通口８となっている。
【０００９】
次に貯槽１内への液体の供給について説明する。先ず、バルブＶ１、Ｖ２を閉じ、貯槽１の上部の蓋４を開けて、液体注入口３から液体Ｌを投入する。貯槽１内における液体Ｌの位置（液位）が大気連通口８より上の位置Ｈ３になり、適当量が投入されたところで投入を止め、蓋４を閉じ液体注入口３を密閉する。
【００１０】
次にバルブＶ１、Ｖ２を開け、大気連通管７の下端の大気連通口８の位置及び、バルブＶ２の開度を調節して、液体Ｌが液体供給口５から流出する速度を設定する（なお、通常の使用では、あらかじめ大気連通口８の位置及び、バルブＶ２の開度を設定しておけば、その都度、大気連通口８の位置及び、バルブＶ２の開度を調整する必要はない。）。こうして、バルブＶ２から液体Ｌが外に供給され、貯槽１内の液面上の気相部は減圧されるとともに大気連通管７を介して空気が貯槽１内に流入する。
【００１１】
図４において、上部の蓋４を閉じ液体注入口３を密閉して、バルブＶ１、Ｖ２を開けたとき、貯槽１内の各部の圧力（＝液体の高さ×液体の密度）は、以下のようになる。貯槽１内の位置Ｈ１に設けた大気連通口８における圧力Ｐ１は、バルブＶ１を介して外気に通じているから、大気連通口８における圧力Ｐ１は、大気圧である。
【００１２】
また、貯槽１の側壁から外に水平に突き出した液体供給管６の先端にあって、貯槽１内の液体Ｌを外部に供給する液体供給口５の位置Ｈ２における圧力Ｐ２は、液体の密度が一定とすれば、液体の高さの差（Ｈ１−Ｈ２）＝△Ｈａに換算した圧力Ｐａだけ大気圧に比べて高いから、液体供給口５における液体の圧力Ｐ２は、大気圧＋Ｐａである。
【００１３】
また、液体Ｌの貯槽１内の液位Ｈ３における圧力Ｐ３は、液体の密度が一定とすれば、液体の高さの差（Ｈ３−Ｈ１）に換算した圧力Ｐｂだけ大気圧に比べて低いから、液位Ｈ３における圧力Ｐ３は、大気圧−Ｐｂである。
【００１４】
上部の蓋４を閉じ液体注入口３を密閉し、バルブＶ１、Ｖ２を開けてバルブＶ１から空気を貯槽１内に流入させながら、バルブＶ２から液体Ｌを外に供給する場合、液体Ｌは液体供給口５から流出して大気と接触し、液体Ｌの供給を行う。そして、液体Ｌの液位Ｈ３が大気連通口８の位置Ｈ１に達した時点でバルブＶ２を閉じて液体Ｌの供給を停止する。
【００１５】
この場合、液体Ｌの供給を開始して供給を停止するまでに、液体Ｌの液位は、当初の液位Ｈ３が大気連通口８の位置Ｈ１に達するまで低下するが、液体の高さの差△Ｈａは、Ｈ１−Ｈ２に維持されるから、液体供給口５における液体の圧力Ｐ２（＝大気圧＋Ｐａ）も変わらず、また、液体供給口５は大気に接しているから、その圧力差（Ｐ２−大気圧）すなわちＰａ（△Ｈａに相当する圧力で一定）で液体Ｌが吐出され、定量供給される。なお、液体供給用の弁Ｖ２、液体供給管６は複数個設置、任意の数で設置できる。
【００１６】
図４に示した参考例１の液体供給装置では、液体Ｌの液位Ｈ３が大気連通口８の位置Ｈ１に達した時点でバルブＶ２を閉じて液体Ｌの供給を停止することで説明してきたが、現実的には次のようにするのが望ましい。すなわち、貯槽１内の液体が一定量づつ供給され続けると、貯槽１内の液面は大気連通口８より下がってしまうので、定量供給ができなくなってしまう。そこで、貯槽１内に貯める液量と、貯槽１から外部への供給流量とは予め把握できるので、貯槽１内の液量が不足する時期は予測でき、不足時期に達する前に貯槽１への液体補給を定期的に行えば、貯槽１内の液面が大気連通口８より低下ずることはない。このようにすることにより、液体の供給をしている間は、常に△Ｈに相当する水圧で液体を供給でき、定量供給が可能となる。
【００１７】
次に、図４で示した参考例１の液体供給装置を基本形として、貯槽１に取り付ける大気連通管、又は液体供給管の配置を変更した場合の他の液体供給装置の参考例について、図５から図８に参考例２から参考例５を示し説明していく。
【００１８】
図５に示す参考例２の液体供給装置では、参考例１の液体供給装置において、貯槽１の側壁から外に突き出した液体供給管６に代えて、大気連通管７の貯槽１の内部に突入した部分の下端の大気連通口８の位置より上の側壁の開口1ｂに連通して貯槽１外に水平に突き出して途中から垂直に曲がっているＬ字形の液体供給管６ｂ１が設けられるように構成する。この液体供給管６ｂ１は途中にバルブＶ２が設けられている。この第４の実施の形態のようなＬ字形の液体供給管６ｂ１を設けた場合、液体供給管６ｂ１が貯槽１の外に水平に突き出して途中から垂直に曲がっている先端の液体供給口５ｂ１は、大気連通口８より低い位置に開口し、大気と接している。大気連通口８の位置Ｈ１は図４で示した参考例１の液体供給装置と同じであるが、液体供給管６ｂ１は大気連通口８の位置より上の位置Ｈ４に設けた側壁の開口に連通して貯槽１の外に水平に突き出しているので、液体Ｌの供給を開始して供給を停止するまでに貯槽１内の液体Ｌが図示の状態を維持するのは、液体Ｌの液位が、当初の液位Ｈ３が側壁の開口１ｂの位置Ｈ４に達するまでである。この場合も液体Ｌの高さの差△Ｈｄは、Ｈ１−Ｈ２に維持されるから、液体供給管６ｂ１の先端の液体供給口５ｂ１における圧力も変わらず、液体Ｌは定量供給される。
【００１９】
参考例２の液体供給装置では、液体供給管６ｂ１の貯槽１内の開口１ｂを大気連通口８より上位に開口させているので、貯槽１内の液体が低下し、開口１ｂ（Ｈ４の高さ）に達した時点で、液体供給口５ｂ１からの液体供給は自動的に止まることになり、その時点で液体を補給すればよい。なお、貯槽１への液体の補給は、できるだけ貯槽１に満杯になるように注入するのが好ましく、液面上部の気相部が小さいほど、貯槽１からの液体排出に伴う気相部の減圧が早くなり、定量供給状態に達する。
【００２０】
図６に示す参考例３の液体供給装置では、参考例１の液体供給装置において、貯槽１の側壁から外に突き出した液体供給管６に代えて、大気連通管７の貯槽１の内部に突入した部分の下端の大気連通口８の位置より下の側壁の開口１ｃから貯槽１の外に水平に突き出して途中から垂直に曲がっているＬ字形の液体供給管６ｂ２が設けられるように構成する。この液体供給管６ｂ２は途中にバルブＶ２が設けられ、その先端の液体供給口５ｂ２は貯槽１内の液体が供給される水路の液内に没している。この参考例３の液体供給装置のようなＬ字形の液体供給管６ｂ２を設けた場合、液体供給管６ｂ２が貯槽１の外に水平に突き出して途中から垂直に曲がっている先端の液体供給口５ｂ２が水路の液内に没しているので、液体供給管６ｂ２内の液体Ｌが大気圧に開放される高さは液体供給管６ｂ２の水路の液面と接触する高さの位置Ｈ２となる。この場合も、液体Ｌの供給を開始して供給を停止するまでに、液体Ｌの液位が、当初の液位Ｈ３が大気連通口８の位置Ｈ１に達するまで液体の高さの差△Ｈｅは、Ｈ１−Ｈ２に維持され、液体Ｌは定量供給される。
【００２１】
参考例１から参考例３の液体供給装置においては、上述したように、大気連通口の位置と、液体供給管の大気と接触する位置との液位差（△Ｈ）に基づく圧力によって液体を外部へ供給するものであり、初期に設定した液位差（△Ｈ）が一定に維持されることから供給流量は定量となる。所望の供給流量は前述のように、液体供給管の弁の開度を調節することによって行うこともできるが、△Ｈに関与する大気連通口または液体供給口（液体供給管の大気と接する位置）の高さ方向の位置を可変としておき、必要により、高さ位置を調整することにより、△Ｈを調整して所望の流量に設定することもできる。大気連通口の高さ調整は、大気連通管を上下動可能とし、設定位置で固定するようにすればよい。液体供給口の位置は、液体供給管の先端（液体供給口側）を垂直管とするとともに垂直管部にスライド可能な管を内挿または外挿して取り付け、スライド管を上下動させることにより調整可能となる。
【００２２】
図７における参考例４の液体供給装置は、図４で示した参考例１の液体供給装置を改良したものであり、同一の符号は同じ構成要素を示している。ここでは、図４で説明した部分については説明が重複するので省略する。図７では、液体供給管６が柔らかい可撓性の素材で形成されているか、液体供給管６が硬質の素材で形成されている場合には先端部は変形可能なジャバラ構造、網組み構造のものが使用されていて、貯槽１の側面から外部に突き出した液体供給管６の先端部の位置が可変できるように設けられている。供給先にはノッチ５２を設け、流量が増えると流路５１の水位が高くなり、流量が減ると水位は低くなる。流路５１には浮き５３を設置し、ロープ５４の一端を浮き５３に接続して、滑車５５，５６を介してその他端は液体供給管６の先端に接続する。
【００２３】
このように液体供給管６から外に供給される液体の流路５１の液面Ｓに浮き５３を浮かし、浮き５３の上下動により液体供給管６の先端部を持ち上げるように構成すると、流路５１の流量が増えて浮き５３が高く浮くと、液体供給管６の先端が下降して、ΔＨｉが大きくなって供給量が増え、逆に流量が滅って浮き５３の高さが低くなると、液体供給管６が上昇して、△Ｈｉが小さくなって供給量を減少させ、又は供給を停止する。したがって、供給される系の状況（水路の液位）に応じた液体量を供給することができる。
【００２４】
次に、貯水槽で泡が発生しているような場合に、貯水槽の泡の発生量に応じて消泡剤の注入を制御する参考例５の液体供給装置の構成を図８を参照して説明する。図８における液体供給装置も、図４で示した参考例１の液体供給装置を改良したものであり同一の符号は同じ構成要素を示す。ここでも、図４で説明した部分については説明が重複するので省略する。
【００２５】
図８では、液体供給管６が柔らかい可撓性素材で形成されているか、液体供給管６が硬質の素材で形成されている場合には先端部は変形可能なジャバラ構造、網組み構造のものが使用されていて、貯槽１の側面から外部に突き出した液体供給管６の先端部の位置が可変できるように設けられている。貯水槽１の泡面６１には浮き６３を設置しており、ロープ６４の一端を浮き６３に接続して、滑車６５，６６を介してその他端は液体供給管６の先端に接続する。
【００２６】
このように貯水槽６１の泡６２の上面に浮き６３を浮かし、浮き６３の上下動により液体供給管６の先端部を持ち上げるように構成すると、泡６２が増えて浮き６３の高さが高くなると、液体供給管６の先端が下降して、ΔＨｊが大きくなって消泡剤Ｌ１の注入量が増え、逆に泡６２が滅って浮き６３の高さが低くなると、液体供給管６の先端が上昇して、△Ｈｊが小さくなって消泡剤Ｌ１の注入量を減少させ、又は液体供給管６の先端が大気連通口８の位置より高くなって、消泡剤Ｌ１の注入を停止する。したがって、貯槽６１内の液体が供給される系の状況（増減する泡６２の発生状熊）に応じて、貯槽６１の側面から外部に突き出した先端部の位置が可変できる、合理的に消泡剤Ｌ１を注入することができる。
【００２７】
図３に示す参考例６の液体供給装置は、貯槽の側壁を貫通して貯槽の内部と外部に突き出して大気連通管が設けられているものである。参考例６の液体供給装置では、参考例１の液体供給装置において、貯槽１の上部の壁を貫通して設けられている大気連通管７に代えて、貯槽１の側壁を貫通して貯槽１の内部と外部に突き出して大気連通管７ａが設けられるように構成する。この大気連通管７ａの外に突き出した部分には途中にバルブＶ１が設けられている。この第１の実施の形態に係る液体供給装置のように大気連通管７ａを貯槽１の側壁を貫通して設けた場合も、大気連通口８の位置Ｈ１と液体供給管６の先端にあって、貯槽１内の液体Ｌを外部に供給する液体供給口５の位置Ｈ２は図４で示した参考例１の液体供給装置と同じであり、液体Ｌの液位は、当初の液位Ｈ３が大気連通口８の位置Ｈ１に達するまで低下するときの液体の高さの差△Ｈｂは、Ｈ１−Ｈ２に維持され、液体Ｌが定量供給される作用は同じである。
【００２８】
次に、図面を参照して本発明の実施の形態について説明する。本発明の第１、第２の実施の形態に係る液体供給装置は、貯槽の側壁を貫通して貯槽の内部と外部に突き出して大気連通管が設けられ、また、貯槽の外部又は内部に枡が設けられていて、大気連通口が前記枡の壁面の開口に連通されているものである。図１は本発明の第１の実施の形態に係る液体供給装置の概略図、図２は本発明の第２の実施の形態に係る液体供給装置の概略図である。
【００２９】
図１に示す第１の実施の形態の液体供給装置では、貯槽１１の上壁には所定径の筒部１２が突設され、筒部１２の先端の開口は液体注入口１３となっており、蓋１４を被せて閉塞することができる。貯槽１１内の液体Ｌが供給される枡１９が貯槽１１の外部に設けられ、貯槽１１内の側壁の開口１１ａと枡１９の壁面の開口１９ａとは液体補給管１６で連通されている。
【００３０】
また、枡１９の側壁の開口１９ｂと貯槽１１の側壁の下部の位置Ｈ１１に設けた開口１１ｂとは大気連通管１７で連通され、開口１１ｂは空気の流入する大気連通口１１ｂとなっている。大気連通管１７及び液体補給管１６のそれぞれの途中には、バルブＶ１１、バルブＶ１２が設けられている。そして、バルブＶ１１の開閉により大気と連通又は遮断されるようになっている。そして、枡１９の上部は開口して外気に通じているので、枡１９は大気連通管１７を介して貯槽１１と連通し、また、液体補給管１６を介して貯槽１１と連通している。
【００３１】
枡１９内において、大気連通口１１ｂの位置Ｈ１１より下の位置Ｈ１２には、枡１９の側壁の開口１９ｃに連通して外部に突き出した液体供給管２１が設けられている。液体供給管２１は枡１９内の液体Ｌを外に供給するもので、枡１９の側壁の開口１９ｃから外に突き出した液体供給管２１の先端の液体供給口２０は、大気と接触して貯槽１内の液体Ｌを外部に供給するようになっている。また、液体供給管２１の途中にはバルブＶ１３が設けられ、開度を変えて液体Ｌが液体供給口２０から流出する速度を設定するように構成されている。
【００３２】
次に貯槽１１内への液体の供給について説明する。先ず、バルブＶ１１、Ｖ１２を閉じ、貯槽１１の上部の蓋１４を開けて、液体注入口１３から液体Ｌを投入する。貯槽１１内における液体Ｌの位置（液位）が大気連通口１１ｂより上の位置Ｈ１３になり、適当量が投入されたところで投入を止め、蓋１４を閉じ液体注入口１３を密閉する。
【００３３】
次にバルブＶ１１、Ｖ１２、Ｖ１３を開け、Ｖ１３の開度を調節して、液体Ｌが液体供給口２０から流出する速度を設定する（この実施の形態の場合も、通常の使用では、あらかじめバルブＶ１３の開度を設定しておけば、その都度調整する必要はない。）。さて、バルブＶ１２、Ｖ１３から液体Ｌが供給され、枡１９の上部の開口１１ｂからバルブＶ１１を介して空気が貯槽１１内に流入する。
【００３４】
上部の蓋１４を閉じ液体注入口１３を密閉して、バルブＶ１１、Ｖ１２、Ｖ１３を開けたとき、貯槽１１内の各部の圧力は、以下のようになる。貯槽１１内の位置（枡１９内における液体Ｌの位置（液位）も同じ）Ｈ１１に設けた大気連通口１１ｂ（枡１９内の液位）における圧力Ｐ１１は、バルブＶ１１、枡１９を介して外気に通じているから大気圧である。また、枡１９内の位置Ｈ１２に設けた液体供給口２０における圧力Ｐ１２は、液体の密度が一定とすれば、枡１９内の液体の高さの差（Ｈ１１−Ｈ１２）＝△Ｈｆに換算した圧力Ｐｆだけ大気圧に比べて高いから、液体供給口２０における圧力Ｐ１２は、大気圧＋Ｐｆである。
【００３５】
また、液体Ｌの貯槽１１内の液位Ｈ１３における圧力Ｐ１３は、液体の密度が一定とすれば、液体の高さの差（Ｈ１３−Ｈ１１）に換算した圧力Ｐｄだけ大気圧に比べて低いから、液位Ｈ１３における圧力Ｐ１３は、大気圧−Ｐｄである。蓋１４を閉じ液体注入口１３を密閉し、バルブＶ１１、Ｖ１２、Ｖ１３を開けてバルブＶ１１から空気を貯槽１１内に流入させながら、バルブＶ１２、枡１９を介してバルブＶ１３から液体Ｌを外に供給する場合、液体Ｌは液体供給口２０から流出し、液体Ｌを外に供給し、液体Ｌの液位Ｈ１３が貯槽１１内の位置（枡１９内における液体Ｌの位置（液位）も同じ）Ｈ１１に達した時点でバルブＶ１３を閉じて液体Ｌの供給を停止する。
【００３６】
この場合、液体Ｌの供給を開始して供給を停止するまでに、液体Ｌの貯槽１１内の液位は、当初の液体Ｌの液位Ｈ１３が貯槽１１内の位置（枡１９内における液体Ｌの位置（液位）も同じ）Ｈ１１に達するまで低下するが、液体の高さの差△Ｈｆは変わらず△Ｈｆ＝（Ｈ１１−Ｈ１２）に維持されるから、液体供給口２０における圧力（Ｐ１２＝大気圧＋Ｐｆ）も変わらず、液体Ｌは定量供給される。なお、この場合も、液体供給用の弁Ｖ１３、液体供給管２１は複数個設置することができ、任意の数で設置できる。
【００３７】
図２に示す第２の実施の形態の液体供給装置では、貯槽３１の上壁には所定径の筒部３２が突設され、筒部３２の先端の開口は液体注入口３３となっており、蓋３４を被せて閉塞できる。貯槽３１の内部には枡３９が設けられている。枡３９内における貯槽３１の側壁の上部の開口３１ｂには大気連通管３７が外部に突き出して設けられており、開口３１ｂは空気の流入する大気連通口３１ｂとなっている。この大気連通管３７は枡３９の側壁の上部の開口３９ｂに連通する。また、大気連通管３７は、途中にバルブＶ３１が設けられバルブＶ３１の開閉により大気と連通又は遮断されるようになっている。
【００３８】
枡３９内における貯槽３１の側壁の下部の開口３１ａには外部に突き出して液体供給管３６が水平に設けられ、枡３９の側壁の下部の開口３９ａに連通する。液体供給管３６は枡３９を介して、貯槽３１内の液体Ｌを外に供給するもので、枡３９内における貯槽３１の側壁の下部の開口３１ａから外に突き出した液体供給管３６の先端の液体供給口３５は、大気と接触して貯槽３１内の液体Ｌを外部に供給し、大気連通口３１ｂより低い位置に設けられている。この液体供給管３６は、途中にバルブＶ３２が設けられ、バルブＶ３２の開度を変えて液体Ｌが液体供給管３６から外に流出する速度を設定するように構成されている。
【００３９】
次に貯槽３１内への液体の供給について説明する。先ず、バルブＶ３１、Ｖ３２を閉じ、貯槽３１の上部の蓋３４を開けて、液体注入口３３から液体Ｌを投入する。貯槽３１内における液体Ｌの位置（液位）が大気連通口３１ｂより上の位置Ｈ３３になり、適当量が投入されたところで投入を止め、上部の蓋３４を閉じ液体注入口３３を密閉する。
【００４０】
次にバルブＶ３１、Ｖ３２を開け、バルブＶ３２の開度を調節して、液体Ｌが液体供給口３５から外に流出する速度を設定する（この実施の形態の場合も、通常の使用では、あらかじめバルブＶ３２の開度を設定しておけば、その都度バルブＶ３２の開度を調整する必要はない。）。さて、バルブＶ３２から液体Ｌが外に供給され、バルブＶ３１から空気が貯槽１内に流入する。
【００４１】
図２において、上部の蓋３４を閉じ液体注入口３３を密閉して、バルブＶ３１、Ｖ３２を開けたとき、貯槽３１内の各部の圧力は、以下のようになる。貯槽３１内の位置Ｈ３１に設けた大気連通口３１ｂにおける圧力Ｐ３１は、バルブＶ３１を介して外気に通じているから大気圧である。
【００４２】
また、貯槽３１内の位置Ｈ３２に設けた液体供給口３５における圧力Ｐ３２は、液体の密度が一定とすれば、枡３９内の液体の高さの差（Ｈ３１−Ｈ３２）＝△Ｈｇに換算した圧力Ｐｇだけ大気圧に比べて高いから、液体供給口５における圧力Ｐ３２は、大気圧＋Ｐｇである。また、液体Ｌの貯槽３１内の液位Ｈ３３における圧力Ｐ３３は、液体の密度が一定とすれば、液体の高さの差（Ｈ３３−Ｈ３１）に換算した圧力Ｐｈだけ大気圧に比べて低いから、液位Ｈ３３における圧力Ｐ３３は、大気圧−Ｐｈである。
【００４３】
上部の蓋３４を閉じ液体注入口３３を密閉し、バルブＶ３１、Ｖ３２を開けてバルブＶ３１から枡３９内へ空気を流入させると枡３９の上部から大気連通口３１ｂの位置まで空気だまりができて、さらに枡３９の側壁の上部の開口３９ｂを介して空気を貯槽３１内に流入させる。このように貯槽３１内に空気を流入させながら、バルブＶ３２から液体Ｌを外に供給する場合、貯槽３１内の液体Ｌは開口３９ａを介して枡３９内へ流入し、さらに枡３９内における貯槽３１の側壁の下部の開口３１ａから流出する。そして、液体Ｌの液位Ｈ３３が大気連通口３１ｂの位置Ｈ３１に達した時点でバルブＶ３２を閉じて液体Ｌの供給を停止する。
【００４４】
この場合も、液体Ｌの外への供給を開始して供給を停止するまでに、液体Ｌの液位は、当初の液位Ｈ３３が大気連通口３１ｂの位置Ｈ３１に達するまで低下するが、液体Ｌの高さの差△Ｈｇは、Ｈ３１−Ｈ３２に維持されるから、液体供給口３５における圧力Ｐ３２（＝大気圧＋Ｐｇ）も変わらず、液体Ｌは定量供給される。なお、液体供給用の弁Ｖ３２、液体供給管３６は複数個設置することができ、任意の数で設置できる。
【００４５】
上記した各液体供給装置では、貯槽の液体注入口を蓋で閉じる構成について説明したが、液体注入口に開閉弁などを設けて、槽内を密閉状態にしても良い。
【００４６】
以上の図１、図２に示した第１、第２の実施の形態で説明した本発明に係る液体供給装置によれば、貯槽の側壁を貫通して貯槽の内部と外部に突き出して大気連通管が設けられ、また、貯槽の外部又は内部に枡が設けられていて、大気連通口が前記枡の壁面の開口に連通されているものであり、動力を使わずに貯槽からの液体流出量を自動的に調節して所望量の液体を外に自動的に定量供給することができる。
【００４７】
【発明の効果】
以上詳述した通り、本発明の液体供給装置によれば、貯槽の側壁を貫通して貯槽の内部と外部に突き出して大気連通管が設けられ、また、貯槽の外部又は内部に枡が設けられていて、大気連通口が前記枡の壁面の開口に連通されているものであり、動力を使わずに貯槽からの流出量を自動的に調節して所望量の液体を自動的に定量供給することができ極めて実用的である。また、供給される液体の流路を監視して貯槽から流出する液体の量を自動的に低下させ、流出を停止することができるため、貯槽内の液体の無駄な流出を防止できる。さらに、貯水槽の泡の発生量に応じて消泡剤の注入を制御すれば、貯水槽の泡の発生状熊に応じて合理的に消泡剤を注入できる等優れた効果を奏する。
【図面の簡単な説明】
【図１】  本発明の第１の実施の形態に係る液体供給装置の概略図。
【図２】  本発明の第２の実施の形態に係る液体供給装置の概略図。
【図３】  参考例６の実施の形態に係る液体供給装置の概略図。
【図４】  参考例１の液体供給装置の概略図。
【図５】  参考例２の液体供給装置の概略図。
【図６】  参考例３の液体供給装置の概略図。
【図７】  参考例４の液体供給装置の概略図。
【図８】  参考例５の液体供給装置の概略図。
【図９】  可変定量ポンプを使用した第１の従来例の液体供給装置を示す概略図。
【図１０】  可変定量ポンプを使用した従来の液体供給装置の第２の例を示す概略図。
【図１１】  動力を使わずにバルブを使用して液体を定量供給する従来の液体供給装置の概略図。
【符号の説明】
１１，３１  貯槽
１１ａ，１１ｂ，１９ａ，１９ｂ，１９ｃ，３１ａ３９ａ，３９ｂ  開口
１２，３２  筒部
１３，３３  液体注入口
１４，３４  蓋
２０，３５  液体供給口
２１，３６  液体供給管
１７，３７  大気連通管
１１ｂ，３１ｂ  大気連通口
１６  液体補給管
１９，３９  枡
Ｌ  液体
Ｖ１１，Ｖ１２，Ｖ１３，Ｖ３１，Ｖ３２  バルブ
【図１】
0003846302.tif 000002
【図２】
0003846302.tif 000003
【図３】
0003846302.tif 000004
【図４】
0003846302.tif 000005
【図５】
0003846302.tif 000006
【図６】
0003846302.tif 000007
【図７】
0003846302.tif 000008
【図８】
0003846302.tif 000009
【図９】
0003846302.tif 000010
【図１０】
0003846302.tif 000011
【図１１】
0003846302.tif 000012